(57)【特許請求の範囲】
【請求項１】
全体形状が輪状をなし内方へ向けて突出する複数の磁極(20)を有するステータ体(1)と、前記各磁極(20)の両面に絶縁板(21,22)を介して巻回され励磁側(30)と出力側(31)からなると共に１相励磁２相出力形のステータコイル(2)とを備えたステータ構造において、前記各絶縁板(21,22)を一体に樹脂モールド成形して構成された絶縁モールド体(24)と、前記絶縁モールド体(24)の一端の絶縁モールド部(24a)に一体にモールド成形された複数の端子(4)とを有し、前記ステータコイル(2)は前記絶縁モールド体(24)の各絶縁板(21,22)の外面(21a,22a)で前記磁極(20)を包囲するように設けられ、前記ステータコイル(2)の外表面(2a)には第１、第２コイル保護カバー(10,11)が設けられ、前記ステータコイル(2)は前記端子(4)に直接接続され、前記端子(4)の端部が外部接続端子(25)として用いられ、前記絶縁モールド体(24)には、前記各絶縁板(21,22)と一体に形成され前記外部接続端子(25)の外側に位置する壁部(40)が形成されていることを特徴とするステータ構造。
【請求項２】
前記壁部(40)の壁面の向きは、前記ステータ体(1)の半径方向に沿っていることを特徴とする請求項１記載のステータ構造。
【請求項３】
前記壁部(40)の壁面の向きは、前記ステータ体(1)の半径方向とは直交する方向に沿っていることを特徴とする請求項１記載のステータ構造。
【発明の詳細な説明】
【０００１】
【発明の属する技術分野】
本発明は、ステータ構造に関し、特に、各磁極にステータ巻線を巻回する時に用いる絶縁板と端子を保持する絶縁モールド部とを絶縁モールド体として一体成形し、従来用いていたリード線を省略してステータコイルと端子を直接接続すると共に、信頼性を向上させるための新規な改良に関する。
【０００２】
【従来の技術】
従来、用いられていたこの種のステータ構造としては、図８にて示される特開平１１−９８７４８号公報に開示された構成を挙げることができる。
すなわち、図８において、符号１で示されるものは全体形状が輪状をなし多層構造よりなる輪状ステータであり、この輪状ステータ１の内縁のスリット（図示せず）には例えば１相励磁２相出力型をなす周知のステータコイル２が設けられている。
前記輪状ステータ１の端部１ａには、断面コ字型をなすアンダーカバー３が設けられ、このアンダーカバー３の上面には、1個又は複数の端子ピン４を保持しプラスチックからなるプラスチック体５が設けられている。前記端子ピン４の突出部４ａは、前記プラスチック体５を貫通して上方に突出し、この突出部４ａに前記ステータコイル２の端部が接続されている。
さらに、前記各端子ピン４は、コネクタ６に接続されたリード線７に周知の圧着手段によって圧着接続されている。
【０００３】
前記輪状ステータ１の内側には、周知の輪状をなし多層構成であると共にこの実施の形態では可変リラクタンス型（ＶＲ型）のロータ８が回転自在に配設され、この輪状ステータ１の両面には、輪状をなす第１、第２コイル保護カバー１０，１１が設けられている。この第１コイル保護カバー１０は、各ステータコイル２の上面を覆っていると共に、前記プラスチック体５及び突出部４ａを覆っており、この突出部４ａに対応する位置ではこの突出部４ａを十分に覆うことができるように突出して膨らんだ形状の膨出部１０ａが一体に形成されている。
【０００４】
【発明が解決しようとする課題】
従来のステータ構造は、以上のように構成されていたため、次のような課題が存在していた。
すなわち、端子に予めリード線を圧着したものを絶縁体に組付け、回転検出器の外部に導出しているため、端子にリード線を圧着しなければならず、構造が複雑でコストアップとなり、かつ、リード線とステータコイルの接続部分の導通の信頼性に問題があった。
また、部品点数が多く、回転検出器の組立てに要する工数を低減させることが極めて困難であった。
【０００５】
本発明は、以上のような課題を解決するためになされたもので、特に、各磁極にステータ巻線を巻回する時に用いる絶縁板と端子を保持する絶縁モールド部とを絶縁モールド体として一体成形し、従来用いていたリード線を省略してステータコイルと端子を直接接続すると共に、信頼性を向上させるようにしたステータ構造を提供することを目的とする。
【０００６】
【課題を解決するための手段】
本発明によるステータ構造は、全体形状が輪状をなし内方へ向けて突出する複数の磁極を有するステータ体と、前記各磁極の両面に絶縁板を介して巻回され励磁側と出力側からなると共に１相励磁２相出力形のステータコイルとを備えたステータ構造において、前記各絶縁板を一体に樹脂モールド成形して構成された絶縁モールド体と、前記絶縁モールド体の一端の絶縁モールド部に一体にモールド成形された複数の端子とを有し、前記ステータコイルは前記絶縁モールド体の各絶縁板の外面で前記磁極を包囲するように設けられ、前記ステータコイルの外表面には第１、第２コイル保護カバーが設けられ、前記ステータコイルは前記端子に直接接続され、前記端子の端部が外部接続端子として用いられ、前記絶縁モールド体には、前記各絶縁板と一体に形成され前記外部接続端子の外側に位置する壁部が形成されている構成であり、また、前記壁部の壁面の向きは、前記ステータ体の半径方向に沿っている構成であり、また、前記壁部の壁面の向きは、前記ステータ体の半径方向とは直交する方向に沿っている構成である。
【０００７】
【発明の実施の形態】
以下、図面と共に本発明によるステータ構造の好適な実施の形態について説明する。尚、従来例と同一又は同等部分については同一符号を用いて説明する。
図１において符号１で示されるものは全体形状が輪状をなすステータ体であり、このステータ体１には内方へ向けて突出する複数の磁極２０が形成されている。
【０００８】
前記ステータ体１の両面及び各磁極２０の両面には樹脂よりなる絶縁板２１，２２が設けられ、この磁極２０には各絶縁板２１，２２を介してステータコイル２が巻回され、前記各絶縁板２１，２２の一端２３側には、ステータ体１を軸方向に横切る状態で絶縁モールド部２４ａが一体に樹脂モールドによってモールド成形されている。従って、前記各絶縁板２１，２２及び絶縁モールド部２４ａは絶縁モールド体２４として一体に形成されている。
【０００９】
従って、前記各絶縁板２１，２２と絶縁モールド部２４ａとは絶縁モールド体２４として一体に成形されており、前記絶縁モールド体２４の一端の絶縁モールド部２４ａには複数の端子４が一体に成形されている。
前記各端子４の端部は外部接続端子２５として外部に突出され、この外部接続端子２５には図示しないコネクタ等が直接接続できるように構成され、この各端子４の他端４Ａには前記ステータコイル２が直接接続されている。尚、前記ステータコイル２は、図示のように、前記絶縁モールド体２４の各絶縁板２１，２２の外面２１ａ，２２ａで前記磁極２０を包囲するように設けられている。
【００１０】
前記各ステータコイル２の外表面２ａは、一対のコイル保護カバー１０，１１によって覆われている。
図２は図１の前記各端子４を示しており、前記ステータコイル２は図４の結線図にも示されているように、１相励磁２相出力形で構成され、励磁側３０がＲ１、Ｒ２、出力側３１がＳ１、Ｓ２、Ｓ３、Ｓ４で構成されている。
図３はステータコイル２と各端子４との接続状態を示している。
【００１１】
図５は図１の要部を分かりやすくするために概略的に示しており、前記絶縁モールド体２４には、前記各絶縁板２１，２２と一体に形成され前記外部接続端子２５の外側に位置する壁部４０が形成されている。すなわち、図６は前記絶縁モールド体２４の外側に壁部４０を形成し、この壁部４０の壁面の向きがステータ体１の半径方向と直交する方向に形成されており、図７の他の形態においては壁面の向きがステータ体１の半径方向に沿っている構成である。
従って、図６及び図７の構成ではこの壁部４０によってコネクタのメス側を構成し、コネクタのオス側（図示せず）を受け入れることができるように構成されている。
【００１２】
【発明の効果】
本発明によるステータ構造は、以上のように構成されているため、次のような効果を得ることができる。
すなわち、ステータ体の両面に設ける各絶縁板及び端子を有する絶縁モールド部を一体に備えた絶縁モールド体を絶縁モールドによって一体成形しているため、従来構成よりも部品点数が大幅に少なくなると共に、リード線を用いることなくステータコイルと端子とを直接接続することができ、省スペース、信頼性の向上、コストダウンを達成することができる。
【図面の簡単な説明】
【図１】  本発明によるステータ構造を示す断面図である。
【図２】  図１のステータ体を示す構成図である。
【図３】  図２の裏面図である。
【図４】  図１の結線図である。
【図５】  図１の要部を示す断面図である。
【図６】  図５の他の形態を示す断面図である。
【図７】  図５の他の形態を示す断面図である。
【図８】  従来構成を示す断面図である。
【符号の説明】
１    ステータ体
２    ステータコイル
４    端子
１０，１１ 第１、第２コイル保護カバー
２０    磁極
２１，２２    絶縁板
２１ａ，２２ａ 外面
２４    絶縁モールド体
２４ａ 絶縁モールド部
２５    外部接続端子
３０ 励磁側
３１ 出力側
４０    壁部
【図１】
0003747368.tif 000002
【図２】
0003747368.tif 000003
【図３】
0003747368.tif 000004
【図４】
0003747368.tif 000005
【図５】
0003747368.tif 000006
【図６】
0003747368.tif 000007
【図７】
0003747368.tif 000008
【図８】
0003747368.tif 000009